(57)【要約】【課題】  大地震時の揺れでタンスなどの背の高い家具が倒れる事を防止するために家具と天井の隙間を埋める事が推奨されており、隙間を埋めるのに手間が掛からず軽いダンボール製の家具転倒防止用器具を提供する。【解決手段】ダンボール製の部品を組み合わせて、家屋の天井と家具の上端の隙間寸法が規定以下になる様に家具上に設置し、最後に隙間として残った規定以下の寸法を埋めて固定するために組合せユニット本体前面に設けた引き手を引く事によって、水平に対し角度を付けた下内箱に相対する角度でせり上がる上内箱を上方へ移動させて天井と家具上部との残りの間隙を埋める事で家具と天井の隙間を無くし家具の転倒を防止する仕組みを備えた。【選択図】図１
2014090917.tif 000002
【特許請求の範囲】
【請求項１】
上方に開口部を持ち直方体状に形成された外箱と、その外箱の内側に上下可動域を持つ内箱として上内箱と下内箱がセットで収められ、さらに上内箱の上に載せる初期高さ調整の為の追加用上内箱からなり、天井と家具上面との間隙に対し家具転倒防止用器具全体高さとの差が内箱セットの上下可動域以下になるまで上内箱の上に追加用上内箱を載せて組合せ初期高さを調整した上で、外箱の前面部に設けた開口スリットから突出する下内箱の引き手を引く事により、水平に対し角度を付けた下内箱に相対する角度でせり上がる上内箱を上方へ移動させて天井と家具上部との残りの間隙を埋める事で、天井と家具の間で圧接力を働かせ家具の転倒を防止する事を特徴とする家具転倒防止用ダンボール製器具。
【発明の詳細な説明】
【技術分野】
【０００１】
本発明は、地震の際にタンスや本棚などの家具が転倒して人的被害が出るのを防止する為のダンボール製器具に関するものである。
【背景技術】
【０００２】
大地震時の揺れでタンスなどの背の高い家具が倒れる事によって怪我を負ったり、倒れ込んだ家具に挟まれて生命に危険を及ぼす恐れがある。また倒れた家具によって避難経路を塞がれて余震や火災などから命を守る事ができない可能性もある。
【０００３】
従来、家具と天井との間に隙間がある場合に家具の転倒を防止する為に様々な金具や装置が開発されている。強度に信頼が置ける壁面にしっかりした固定工事を実施できるのであれば壁面に家具を直接固定する事が一番の転倒防止対策ではあるが、強度や美観の問題が解決できない場合も多い。
【０００４】
そこで家具や壁面などに傷を付けずに設置できる、特許文献１のような「つっぱり棒」形式の物が市販され天井と家具の間で上下に突っ張る事で家具の転倒防止を図れるとしている。
【０００５】
ただ、「つっぱり棒」形式の中には天井及び家具への接触面積が小さく地震の横揺れに耐えないものや、天井の強度不足部分への設置で天井を突き破ってしまう物も存在する。
よってさらに安定した転倒防止を図る為、天井に対してある程度の接触面積を持つ板などの天井接触面を上方へ押し上げて家具の固定ができる収納兼用の転倒防止器具なども市販されている。その中でダンボールを用いて設置しやすい家具転倒防止用器具として特許文献２のような物が製品化されている。
【０００６】
かかる家具転倒防止用器具は直方体状の外箱とその外箱の内部に嵌入される中箱と外箱の天井面の内側に固着されており、中箱の天井面と当接した状態で高さ方向に屈曲可能な高さ調整体と、高さ調整体を所定の屈曲状態で保持する為の保持手段とからなっていて、家具と天井の隙間を埋める為の高さ調整方法としては本体左右に取り付けられたヒモ体を調整する事で内部の屈曲部の角度を変化させて外箱の高さを変えて行う。
【先行技術文献】
【特許文献】
【０００７】
【特許文献１】特開平０８―２２８８６９号公報
【特許文献２】特許第３７９９０５４号公報
【発明の概要】
【発明が解決しようとする課題】
【０００８】
しかしながら、上述の特許文献２の家具転倒防止用器具は設置時に両側のヒモ体を同時に引かなくてはならない特性上、家具に対して左右方向にヒモ体が来る様に置かなければならず、高い家具の上に設置する方法としては家具転倒防止用器具の両側に作業の為の余裕空間が必要な事も含め必ずしも扱い易いとは言い難い。
【０００９】
本発明はこのような設置方法をより簡単にする事に着目したものであり、家具上の高い位置でも設置し易く且つ軽量で手軽に扱える家具転倒防止用ダンボール製器具を提供することを目的とする。
【課題を解決するための手段】
【００１０】
本発明は、このような目的を達成するために、次のような手段を講じたものである。すなわち本発明に係る構成は、家具の転倒を防止する為に家屋の天井と家具との間に設置されるダンボール製の家具転倒防止用器具であって、上方に開口部を持ち直方体状に形成された外箱と、その外箱の内側に上下可動域を持つ内箱として上内箱と下内箱がセットで収められ、さらに上内箱の上に載せる初期高さ調整の為の追加用上内箱からなり、天井と家具上部との間隙に対し家具転倒防止用器具全体高さとの差が内箱セットの可動域以下になるまで上内箱の上に追加用上内箱を載せて組合せ初期高さを調整した上で、外箱の前面部から突出する下内箱の引き手を引く事で内箱セットを上方へ移動させて天井と家具上部との残りの間隙を埋める事で、天井と家具の間で圧接力を働かせ家具の転倒防止を簡単にできる事を最も主要な特徴とするものである。
【発明の効果】
【００１１】
本発明の家具転倒防止用ダンボール製器具は木製の物などに比して非常に軽い為、設置作業が楽で力の弱い人でも簡単に家具転倒防止を図る事ができる。加えて家具に対し正対した位置から設置作業総てが可能なので無理な体勢を取らずに楽に作業が行える。また追加用上内箱の採用により天井と家具の間隙寸法に対し幅広く対応可能である。
【図面の簡単な説明】
【００１２】
【図１】家具転倒防止用ダンボール製器具の外観斜視図である。
【図２】家具転倒防止用ダンボール製器具の組立前の部品構成図である。
【図３】家具転倒防止用ダンボール製器具の内箱セット上下可動域のうち最下端時の内箱の状況を示す内箱セットのみを取り出した外観斜視図である。
【図４】家具転倒防止用ダンボール製器具の内箱セット上下可動域のうち最上端時の内箱の状況を示す内箱セットのみを取り出した外観斜視図である。
【発明を実施するための形態】
【００１３】
転倒を防止しようとする家具の上に載せ、天井と家具との間隙を埋めるべく内箱セットを上方へ移動させて天井と家具との間で圧接力を働かせるという目的を実現した家具転倒防止用ダンボール製器具の実施例を図１から図４を用いて示す。
【００１４】
図１は、本発明の一実施形態の外観斜視図であって、家具の上面に載置する家具転倒防止用ダンボール製器具は、上方に開口部を持つ直方体状の外箱（４）の内側に上下可動域を持つ内箱として上内箱（３）と下内箱がセットで収められていて、内箱セットを上方へ移動させる為には外箱（４）前面の開口スリット（６）から突出している下内箱の引き手（５）を引く事によって実現できる機能を持つという組合せユニットである事を示す。
【００１５】
図２は、本発明の一実施形態の組立前の部品構成図であって、引き手部分（５）を持つ構造の下内箱（７）が外箱（４）の開口スリット（６）から引き手部分（５）を突出させながら嵌入され、更にその上に上内箱（３）、必要に応じて追加用上内箱（小）（１）追加用上内箱（大）（２）を組合わせてユニットとする事を示す。またユニットの設置高さは内箱セットの上下可動域最下端にセットした時に追加用上内箱（小）（１）の高さ（使用しない場合もある）＋追加用上内箱（大）（２）の高さ（０個〜数個使用）＋外箱（４）の高さの合計が天井と家具上面の間の隙間寸法より内箱セットの上下可動域寸法以下となるように追加用上内箱（小）（１）と追加用上内箱（大）（２）の使用個数を選び初期高さとして家具の上面で、出来るだけ家具背面の壁に近い位置に設置する。
【００１６】
図３は、内箱セット上下可動域のうち最下端時の内箱の状況を示す内箱セットのみを取り出した外観斜視図であって、家具上に設置する場合の初期高さを調整する時の上内箱と下内箱の位置関係を示す。この場合、下内箱は外箱（４）に対し内側背面位置（９）に密着する最後端に位置しており、上内箱（３）は外箱（４）の内側前面位置（８）と内側背面位置（９）に共に密着する形で前後位置の規制を受けている。この位置規制により下内箱（引き手部）（５）を図３中の矢印方向に引いた時に下内箱の水平方向ベクトルが、下内箱に設けた水平に対する角度を付けた面に相対する面により上内箱が上方へ移動させる垂直方向ベクトルに転換される。
【００１７】
図４は、内箱セット上下可動域のうち最上端時の内箱の状況を示す内箱セットのみを取り出した外観斜視図であり、天井と家具の間で圧接力を働かせるために内箱セットを上昇させる場合の上下可動域の最大上昇時の上内箱と下内箱の位置関係を示す。この場合、下内箱は外箱（４）に対し内側前面位置（８）に密着する最前端に位置しており、上内箱（３）は外箱（４）の内側前面位置（８）と内側背面位置（９）に共に密着する形で前後位置の規制を受けている。図４中の矢印は内箱セットの上下可動域を表している。
【符号の説明】
【００１８】
１  追加用上内箱（小）
２  追加用上内箱（大）  
３ 上内箱  
４ 
外箱
５  下内箱（引き手部）
６ 開口スリット
７ 下内箱
８ 外箱の内側前面位置（内箱規制面）
９ 外箱の内側背面位置（内箱規制面）
【図１】
2014090917.tif 000003
【図２】
2014090917.tif 000004
【図３】
2014090917.tif 000005
【図４】
2014090917.tif 000006